(57)【要約】【課題】パネルと框材を容易にかつ適切に固定可能な建具面材の固定構造を提供すること。【解決手段】ユニット縦框４０に、意匠パネル３１の第１の見付け面３３に対向する框本体４１と、第２の見付け面３５に対向する折り返し片４９を設けた。さらに、框本体４１と折り返し片４９との連結部分に、挿入部５０を設けた。この構成により、意匠パネル３１を挿入部５０にパネル固着面部４５に対して傾斜する方向に挿入した後に、ユニット縦框４０を回動させて第２の両面テープ３９を意匠パネル３１に押し付けることで、意匠パネル３１を第２の両面テープ３９に接触させることなく容易にかつ適切に意匠パネル３１とユニット縦框４０とを固定できる。【選択図】図３
2010222863.tif 000002
【特許請求の範囲】
【請求項１】
パネルと、このパネルの端縁部を支持する框材とを固定する建具面材の固定構造であって、
前記框材は、前記パネルの第１の見付け面に対向する框本体と、この框本体と一体的に設けられて前記パネルの第２の見付け面に対向する見付け面対向部とを備え、
前記框本体と前記見付け面対向部とのうちの少なくともいずれか一方には、前記パネルの見付け面と略平行な平面状に形成され、前記パネルに固着されるパネル固着面部が設けられ、
前記框本体と前記見付け面対向部との連結部分には、前記パネルの端縁部を前記パネル固着面部に対して傾斜する方向に沿って挿入可能、かつ、この挿入された状態から前記パネルを前記パネル固着面部に向かって回動可能な挿入部が設けられている建具面材の固定構造。
【請求項２】
前記挿入部には、前記パネルの回動時に前記端縁部が摺接する摺接部が設けられている請求項１に記載の建具面材の固定構造。
【請求項３】
枠体と、この枠体の内部に設けられた第１の建具面材と、この第１の建具面材の見付け面の少なくとも一部に並設して前記枠体内に設けられた第２の建具面材とを備え、前記第２の建具面材は、請求項１または請求項２に記載の建具面材の固定構造でパネルと框材とが固定されている建具。
【請求項４】
前記第２の建具面材の框材と前記枠体とのうちのいずれか一方には、他方に向けて突出する係合部が設けられ、他方には、前記係合部が係合する被係合部が設けられている請求項３に記載の建具。
【請求項５】
パネルと、このパネルの端縁部を支持する框材とを固定する建具面材の固定方法であって、
前記框材は、前記パネルの第１の見付け面に対向する框本体と、この框本体と一体的に設けられて前記パネルの第２の見付け面に対向する見付け面対向部とを備え、
前記框本体と前記見付け面対向部とのうちの少なくともいずれか一方は、前記パネルの見付け面と略平行な平面状に形成され、前記パネルに固着されるパネル固着面部を備え、
前記框本体と前記見付け面対向部との連結部分に設けられた挿入部に、前記パネルの端縁部を前記パネル固着面部に対して傾斜する方向に沿って挿入し、
この挿入した状態から前記パネルと前記框材とのうちの少なくともいずれか一方を回動させることで、前記パネルを前記パネル固着面部に固着する建具面材の固定方法。
【発明の詳細な説明】
【技術分野】
【０００１】
本発明は、建具面材の固定構造、その方法および建具に関する。
【背景技術】
【０００２】
建具枠と、この建具枠に開閉可能に支持された障子とを備える浴室出入り口用の建具が知られている（例えば、特許文献１参照）。
特許文献１に記載された浴室出入り口用建具における障子は、上框、下框および左右の縦框を四周框組みした内部に面材を嵌め込んで構成されており、上下左右の各框材には、面材の四周端縁を保持する溝が見付け方向内方に開口して形成されている。面材は、框材の溝の内部にホットメルト（溶融樹脂接着剤）が塗布された後に、この溝に挿入されることで框材に固定されるようになっている。
【先行技術文献】
【特許文献】
【０００３】
【特許文献１】特開２００７−３２１３４３号公報
【発明の概要】
【発明が解決しようとする課題】
【０００４】
しかしながら、特許文献１に記載のような構成では、面材をホットメルトの塗布面と平行に移動させながら溝に挿入するため、挿入中に面材の先端がホットメルトに接触してしまうおそれがある。このように面材の先端がホットメルトに接触すると、ホットメルトが面材の挿入方向に押されてしまい、面材と框材とを適切に固定できないおそれがある。また、ホットメルトの代わりにテープを用いたとしても、溝内に配置されたテープに框材を押し付けることが困難であり、面材と框材とを適切に固定できないおそれがある。
【０００５】
本発明の目的は、パネルと框材を容易にかつ適切に固定可能な建具面材の固定構造、その方法および建具を提供することにある。
【課題を解決するための手段】
【０００６】
本発明の建具面材の固定構造は、パネルと、このパネルの端縁部を支持する框材とを固定する建具面材の固定構造であって、前記框材は、前記パネルの第１の見付け面に対向する框本体と、この框本体と一体的に設けられて前記パネルの第２の見付け面に対向する見付け面対向部とを備え、前記框本体と前記見付け面対向部とのうちの少なくともいずれか一方には、前記パネルの見付け面と略平行な平面状に形成され、前記パネルに固着されるパネル固着面部が設けられ、前記框本体と前記見付け面対向部との連結部分には、前記パネルの端縁部を前記パネル固着面部に対して傾斜する方向に沿って挿入可能、かつ、この挿入された状態から前記パネルを前記パネル固着面部に向かって回動可能な挿入部が設けられていることを特徴とする。
【０００７】
ここで、框材は、パネルの全周にわたって設けられるものであってもよいし、一部に設けられるものであってもよい。また、パネル固着面部としては、テープ、接着剤、ホットメルトなどの接着部材によりパネルに固着されるもの、あるいは、凹凸の嵌合や係合によりパネルに固着されるものが例示できる。
この発明によれば、框材の挿入部に、パネル固着面部に対して傾斜する方向に沿ってパネルの端縁部を挿入するので、端縁部をパネル固着面部に接触させることなく容易に挿入できる。そして、この挿入した状態からパネルをパネル固着面部に向かって回動させることで、パネルを框材に強固に固定できる。
【０００８】
また、本発明の建具面材の固定構造では、前記挿入部には、前記パネルの回動時に前記端縁部が摺接する摺接部が設けられていることが好ましい。
この発明によれば、端縁部を摺接部に押し当てて摺接させながらパネルを回動させることができるので、作業性を向上できる。
【０００９】
本発明の建具は、枠体と、この枠体の内部に設けられた第１の建具面材と、この第１の建具面材の見付け面の少なくとも一部に並設して前記枠体内に設けられた第２の建具面材とを備え、前記第２の建具面材は、上述の建具面材の固定構造でパネルと框材とが固定されていることを特徴とする。
ここで、第２の建具面材と第１の建具面材とを同じ大きさにして、第２の建具面材のみを見えるようにしてもよいし、第２の建具面材を第１の建具面材よりも小さくして、第１，第２の建具面材の両方を見えるようにしてもよい。また、第２の建具面材が枠体に取り付けられてもよく、第１の建具面材に支持されていてもよい。
この発明によれば、上述の固定構造でパネルと框材とが固定された第２の建具面材を建具に取り付けることで、建具に重厚感や高級感を容易に持たせることができる。
【００１０】
本発明の建具では、前記第２の建具面材の框材と前記枠体とのうちのいずれか一方には、他方に向けて突出する係合部が設けられ、他方には、前記係合部が係合する被係合部が設けられていることが好ましい。
この発明によれば、係合部と被係合部との係合により第２の建具面材を枠体に位置決めでき、第２の建具面材の取付け作業を容易にできる。
【００１１】
本発明の建具面材の固定方法は、パネルと、このパネルの端縁部を支持する框材とを固定する建具面材の固定方法であって、前記框材は、前記パネルの第１の見付け面に対向する框本体と、この框本体と一体的に設けられて前記パネルの第２の見付け面に対向する見付け面対向部とを備え、前記框本体と前記見付け面対向部とのうちの少なくともいずれか一方は、前記パネルの見付け面と略平行な平面状に形成され、前記パネルに固着されるパネル固着面部を備え、前記框本体と前記見付け面対向部との連結部分に設けられた挿入部に、前記パネルの端縁部を前記パネル固着面部に対して傾斜する方向に沿って挿入し、この挿入した状態から前記パネルと前記框材とのうちの少なくともいずれか一方を回動させることで、前記パネルを前記パネル固着面部に固着することを特徴とする。
このような建具面材の固定方法によれば、上述の固定構造と略同様の効果が得られ、パネルと框材を容易にかつ適切に固定できる。
【発明の効果】
【００１２】
以上のような本発明の建物面材の固定構造およびその方法によれば、框材の挿入部にパネル固着面部に対して斜めにパネルの端縁部を挿入した後に、パネルをパネル固着面部に向かって回動させることでパネルを框材に固定することができ、端縁部をパネル固着面部に接触させることなく容易にかつ適切にパネルと框材とを固定できる。
【図面の簡単な説明】
【００１３】
【図１】本発明の第１実施形態に係る建具を示す縦断面図である。
【図２】前記建具の下から見た横断面図である。
【図３】前記建具の要部を示す部分拡大図である。
【図４】前記建具を構成する意匠パネルへのユニット縦框の取付け方法を示す側面図である。
【図５】前記建具を構成する障子への面材ユニットの取付け方法を示す斜視図である。
【図６】本発明の第２実施形態に係る面材ユニットを示す平面図である。
【発明を実施するための形態】
【００１４】
［第１実施形態］
以下、本発明の第１実施形態を説明する。
図１は、本発明の第１実施形態に係る建具であるドア１を示す縦断面図である。図２は、ドア１を示す下から見た横断面図である。
図１および図２において、ドア１は、一方側の空間である脱衣室と他方側の空間である浴室とを仕切る出入り口であって、上枠２、下枠３および左右の縦枠４を枠組みした建具枠５と、この建具枠５に支持されて回動軸６を中心に浴室側に回動可能に設けられる障子１０とを備えて構成されている。障子１０は、上框１１、下框１２および左右の縦框１３を四周框組みして構成された枠体１４と、この枠体１４の内部に支持される第１の建具面材としての樹脂パネル２０とを有して構成されている。
枠体１４の上框１１、下框１２および左右の縦框１３は、それぞれアルミ形材製であり、樹脂パネル２０は、半透明の合成樹脂製板材から構成されている。上框１１における左右方向略中央および回動軸６側（脱衣室側から見た左側）には、係合部としてのダボ１５が螺合されている。樹脂パネル２０は、ダボ１５よりも浴室側に支持されている。
また、障子１０には、樹脂パネル２０の左右方向略中央から回動軸６側の端縁にかけての部分に重なるように、第２の建具面材としての面材ユニット３０が取り付けられている。
この面材ユニット３０は、例えば意匠性が高い模様や色彩が付されたパネルとしての意匠パネル３１と、この意匠パネル３１の左右の端縁部３２を支持する框材としての左右のユニット縦框４０とを備えている。
【００１５】
次に、ユニット縦框４０の詳細な構成について説明する。
図３に示すように、ユニット縦框４０は、横断面が略台形の筒状に形成された框本体４１を備えている。この框本体４１の筒状で囲まれた部分は、ダボ１５が挿入されることで当該ダボ１５を略位置決めする被係合部としてのダボ位置決め部４２を構成している。また、框本体４１は、樹脂パネル２０の見付け面２１に第１の両面テープ２２で接着される略長方形板状の樹脂パネル接着部４３を有している。また、框本体４１の樹脂パネル接着部４３と対向する位置には、樹脂パネル接着部４３と略平行であり、かつ、幅寸法が樹脂パネル接着部４３よりも小さい略長方形板状の意匠パネル接着部４４が設けられている。この意匠パネル接着部４４の外側面は、接着部材としての第２の両面テープ３９が配置される平面状のパネル固着面部４５を構成している。さらに、意匠パネル接着部４４の左右方向の一端縁には、樹脂パネル接着部４３に近づく方向に延びてパネル固着面部４５に対して傾斜する傾斜面部４６が設けられている。また、傾斜面部４６および樹脂パネル接着部４３の端縁には、脱衣室側に延びる連結部４７が設けられている。この連結部４７の傾斜面部４６に対向する面には、例えば樹脂板である摺接部４８が設けられている。また、連結部４７の先端には、樹脂パネル接着部４３と略平行に折り返されることで形成された見付け面対向部としての折り返し片４９が設けられている。さらに、傾斜面部４６と連結部４７と折り返し片４９とで略囲まれた領域は、意匠パネル３１の端縁部３２をパネル固着面部４５に対して傾斜する方向に沿って挿入可能な挿入部５０を構成している。
【００１６】
そして、ユニット縦框４０は、摺接部４８に意匠パネル３１の見込み面３４が略面接触し、折り返し片４９に意匠パネル３１における脱衣室側の第２の見付け面３５が略面接触し、框本体４１が第２の両面テープ３９を介して意匠パネル３１における浴室側の第１の見付け面３３に固定されることで、意匠パネル３１の端縁部３２を支持している。
また、意匠パネル３１とユニット縦框４０とで構成される面材ユニット３０は、図１，２にも示すように、ダボ位置決め部４２にダボ１５が挿入され、このダボ１５の挿入により面材ユニット３０の脱落が防止されている。さらに、面材ユニット３０は、枠体１４の下框１２に設置されたゴム製のセッティングブロック２３に載置され、ユニット縦框４０が回動軸６側の縦框１３に略面接触するとともに、第１の両面テープ２２を介して樹脂パネル２０の見付け面２１に固定されることで、障子１０に取り付けられている。
【００１７】
次に、意匠パネル３１へのユニット縦框４０の取付け方法について説明する。なお、この取付けは、作業者の手作業であってもよいし、装置を用いた作業であってもよい。
まず、図４に示すように、作業台６０に意匠パネル３１を設置し、この意匠パネル３１の上に位置決め治具６１を設置する。この位置決め治具６１は、ユニット縦框４０の位置決めをするためのものである。次に、２点鎖線で示すように、挿入部５０に意匠パネル３１の端縁部３２がパネル固着面部４５に対して傾斜する方向に挿入され、かつ、折り返し片４９の先端と摺接部４８とに意匠パネル３１の端縁部３２が当接するように、ユニット縦框４０を保持する。この後、端縁部３２を摺接部４８に摺接させつつ、折り返し片４９と端縁部３２との当接部を中心にしてユニット縦框４０を回動させ、実線で示すように、第２の両面テープ３９を意匠パネル３１の第１の見付け面３３に押し付けることでユニット縦框４０を意匠パネル３１に固定する。以上により、ユニット縦框４０の取付けが完了する。
【００１８】
次に、障子１０への面材ユニット３０の取付け方法について説明する。
まず、図５に示すように、障子１０の上框１１に２個のダボ１５を取り付ける。なお、ダボ１５を上框１１に取り付けるためのねじ孔は、障子１０の製造時に設けたものであってもよいし、面材ユニット３０の取付け直前に設けたものであってもよい。次に、面材ユニット３０を上端が下端よりも障子１０に近くなるように傾けて、ユニット縦框４０のダボ位置決め部４２内にダボ１５を挿入させることで、面材ユニット３０を障子１０に対して略位置決めする。そして、第１の両面テープ２２を樹脂パネル２０の見付け面２１に押し付けるとともに、面材ユニット３０の下端を下框１２のセッティングブロック２３に載せることで、面材ユニット３０の取付けが完了する。
【００１９】
このような第１実施形態によれば、さらに、ユニット縦框４０を回動させる際に、摺接部４８に意匠パネル３１を摺接させているので、ユニット縦框４０の取付け作業性を向上できる。また、意匠パネル３１を第２の両面テープ３９が設けられていない折り返し片４９に接触させながら回動させるので、第１の見付け面３３がパネル固着面部４５に近接する前に第２の両面テープ３９に接触することがなく、意匠パネル３１とユニット縦框４０とを意図した位置で固定できる。
また、面材ユニット３０を障子１０に取り付けることで、ドア１の意匠性を容易に向上できる。そして、ダボ位置決め部４２内にダボ１５を挿入することで、面材ユニット３０と障子１０との略位置決めとともに脱落を防止しているため、面材ユニット３０の取付け作業性を向上できる。
さらに、ユニット縦框４０を意匠パネル３１の左右両端のみに設け、上下のユニット縦框４０を省略したため、見た目をすっきりさせることができ、また、面材ユニット３０内での意匠パネル３１の上下の見付け寸法を相対的に拡大できる。また、折り返し片４９を設けているため、意匠パネル３１の端縁が触られることを防止でき、意匠パネル３１が脱衣室側に外れることも防止できる。
【００２０】
［第２実施形態］
次に、本発明の第２実施形態について説明する。
図６は、本発明の第２実施形態に係る建具面材として面材ユニット３０Ａを示す縦断面図である。
図６において、面材ユニット３０Ａは、意匠パネル３１と、この意匠パネル３１の左右の端縁部３２を支持する框材としての左右のユニット縦框７０とを備えている。
ユニット縦框７０は、横断面が略四角の筒状に形成された框本体７１を備えている。この框本体７１は、意匠パネル３１の第１の見付け面３３に対して略垂直に設けられる第１，第２の見込み面部７２，７３と、この第１，第２の見込み面部７２，７３の見込み方向の一端同士を連結する見付け面部７４と、第１，第２の見込み面部７２，７３の見込み方向の他端同士を連結するとともに見付け面部７４の方向に略Ｖ字状に凹む凹み部７５とを備えている。第１の見込み面部７２と凹み部７５との接続部には、見込み方向に延びる連結部７６が設けられている。また、連結部７６の先端には、凹み部７５と対向するように略垂直に折り返されることで形成された見付け面対向部としての折り返し片７７が設けられている。この折り返し片７７における凹み部７５と対向する面は、第２の両面テープ３９が配置される平面状のパネル固着面部７８を構成している。さらに、凹み部７５と連結部７６と折り返し片７７とで略囲まれた領域は、意匠パネル３１をパネル固着面部７８に対して傾斜する方向に沿って挿入可能な挿入部７９を構成している。
そして、ユニット縦框７０は、框本体７１が第１の見付け面３３に略線接触し、折り返し片７７が第２の両面テープ３９を介して意匠パネル３１の第２の見付け面３５に固定されることで、意匠パネル３１の端縁部３２を支持している。
【００２１】
次に、意匠パネル３１へのユニット縦框７０の取付け方法について説明する。
まず、第１実施形態と同様に意匠パネル３１を作業台６０に載置して、２点鎖線で示すように、挿入部７９に意匠パネル３１の端縁部３２がパネル固着面部７８に対して傾斜する方向に挿入され、かつ、第２の両面テープ３９と端縁部３２が当接するように、ユニット縦框７０を保持する。この後、第２の両面テープ３９と端縁部３２との当接部を中心にしてユニット縦框７０を回動させ、実線で示すように、第２の両面テープ３９を第２の見付け面３５に押し付けることでユニット縦框７０を意匠パネル３１に固定する。
このような第２実施形態でも、意匠パネル３１をユニット縦框７０の挿入部７９にパネル固着面部７８に対して傾斜する方向に挿入してから、ユニット縦框７０を回動させるので、容易にかつ適切に意匠パネル３１とユニット縦框７０とを固定できる。
【００２２】
なお、本発明は、前記第１，第２実施形態に限定されるものではなく、本発明の目的が達成できる他の構成等を含み、以下に示すような変形等も本発明に含まれる。
例えば、第１，第２実施形態では、意匠パネル３１の左右両端をそれぞれユニット縦框４０，７０が支持する構成を例示したが、意匠パネル３１の上下左右端のうちの少なくとも一端を本発明の框材で支持する構成としてもよい。また、意匠パネル３１の挿入部５０，７９への挿入を、傾斜面部４６や凹み部７５に面接触させながら行ってもよい。さらに、折り返し片４９にも第２の両面テープ３９を設けてもよい。また、ダボ１５を設けなくてもよい。さらには、本発明のパネルと框材のみで、建具面材としてのドアを構成してもよい。
【００２３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２４】
１…ドア（建具）、１４…枠体、１５…ダボ（係合部）２０…樹脂パネル（第１の建具面材）、３０…面材ユニット（第２の建具面材）、３０Ａ…面材ユニット（建具面材）、３１…意匠パネル（パネル）、３２…端縁部、３３，３５…第１，第２の見付け面、３９…第２の両面テープ（接着部材）、４０，７０…框材としてのユニット縦框、４１，７１…框本体、４２…ダボ位置決め部（被係合部）、４５，７８…パネル固着面部、４９，７７…折り返し片（見付け面対向部）、５０，７９…挿入部。
【図１】
2010222863.tif 000003
【図２】
2010222863.tif 000004
【図３】
2010222863.tif 000005
【図４】
2010222863.tif 000006
【図５】
2010222863.tif 000007
【図６】
2010222863.tif 000008